(57)【要約】【課題】点灯時のみ加飾模様を装飾光として視認できる樹脂成型品およびこれを用いた車両用灯具を提供する。【解決手段】  透光樹脂基材２に光輝性蒸着層３を形成し、該光輝性蒸着層３を選択的に剥離することで加飾模様を含む加飾領域３１と、加飾模様を含まない非加飾領域３２と、を含む意匠面５を形成し、意匠面の反対面に、非加飾領域３２よりも高い光透過率を有する半透光層４を形成する。半透光層４により、灯具の点灯時には光源６からの光が半透光層４を透過して灯具外部に出射される一方、光源６の非点灯時には半透光層４に遮られて外部から意匠面５が見えなくなるので、車両用灯具１０のデザイン性を向上できる。【選択図】図３
2020161344.tif 000002
【特許請求の範囲】
【請求項１】
透光樹脂基材に光輝性蒸着層を形成し、該光輝性蒸着層を選択的に剥離することで加飾模様を含む加飾領域と、前記加飾模様を含まない非加飾領域と、を含む意匠面を形成した樹脂成形品であって、
前記意匠面の反対面に、前記非加飾領域よりも高い光透過率を有する半透光層を形成したことを特徴とする樹脂成形品。
【請求項２】
前記半透光層はハーフ蒸着処理により形成された半透光蒸着層である、請求項１に記載の樹脂成形品。
【請求項３】
前記半透光層は前記非加飾領域よりも高い光透過率を有する着色された前記透光樹脂基材により形成されている、請求項１に記載の樹脂成形品。
【請求項４】
前記樹脂基材にシボ加工面が形成され、前記シボ加工面に前記光輝性蒸着層を形成した請求項１〜３の何れか一項に記載の樹脂成形品。
【請求項５】
面発光する光源と、請求項１〜４の何れか一項に記載の樹脂成形品と、を備え、
前記光源が、前記意匠面と対向する位置に配置され、
前記光源から出射した光は、前記加飾領域および前記半透光層を透過して灯具外部に出射することを特徴とする車両用灯具。
【発明の詳細な説明】
【技術分野】
【０００１】
本発明は、透光樹脂基材に光輝性蒸着層を形成し、該光輝性蒸着層を選択的に剥離することで加飾模様を形成した樹脂成形品とそれを使用した車両用灯具に関するものである。
【背景技術】
【０００２】
従来、レーザー光を用いて樹脂成型品に加飾模様を施す技術が知られている。例えば、特許文献１〜３には、透明な樹脂基材の表面に光輝性の蒸着層を形成し、該蒸着層を、レーザー光を用いて加飾模様に除去することで、レーザー除去部分から加飾模様の光を透過させる樹脂成型品および車両用灯具の技術が開示されている。
【０００３】
ところで、これらの特許文献に開示された樹脂成形品は、車両用灯具において光源の前方に位置するインナーレンズやアウターレンズ等として使用される。しかし、特許文献１〜３の技術によれば、図７に示すように、レーザー光による処理を施した加飾部分３１が光源の非点灯時においても灯具外部から中途半端に視認され、灯具全体の見栄えが悪くなるという問題があった。
【０００４】
また、図８に示すように、アウターレンズ４０の内面に光輝性蒸着層３を設け、レーザー光Ｌにより加飾模様３１を剥離する際に、光輝性蒸着層３の一部が剥離仕切れずに加飾模様３１領域の透光樹脂基材２上に残存してしまう残存蒸着膜３３が生ずる場合がある。剥離した蒸着膜３４であればブロー等の処理により加飾模様３１の領域から除去することが出来るが、剥離仕切れていない残存蒸着膜３３は未だ透光樹脂基材２上に固着しているため除去することが出来ない。そのため、残存蒸着膜３３が目立ち見栄えが悪くなるという問題がある。
【先行技術文献】
【特許文献】
【０００５】
【特許文献１】特開２０１０−１９２２１７号公報
【特許文献２】特開２０１４−１１７９６０号公報
【特許文献３】特開２０１５−１０３２９２号公報
【発明の概要】
【発明が解決しようとする課題】
【０００６】
本発明は、前記問題点に鑑みてなされたものであり、その目的は、点灯時のみ加飾模様を装飾光として視認できる樹脂成型品およびこれを用いた車両用灯具を提供することにある。また、光輝性蒸着層のレーザー光による加飾加工時に加飾領域内に残存した蒸着膜を目立たなくして不良品の発生を低減できる樹脂成形品及び該樹脂成形品を用いた車両用灯具を提供することにある。
【課題を解決するための手段】
【０００７】
上記課題を解決するために、本発明は、透光樹脂基材に光輝性蒸着層を形成し、該光輝性蒸着層を選択的に剥離することで加飾模様を含む加飾領域と、加飾模様を含まない非加飾領域と、を含む意匠面を形成した樹脂成形品であって、意匠面の反対面に、非加飾領域よりも高い光透過率を有する半透光層を形成したことを特徴とする。
【０００８】
半透光層はハーフ蒸着処理により形成された半透光蒸着層を用いることが可能である。また、半透光層を非加飾領域よりも高い光透過率を有する着色された透光樹脂基材により形成してもよい。
【０００９】
また、樹脂基材にシボ加工面が形成し、該シボ加工面に光輝性蒸着層を形成してもよい。
【００１０】
さらに、本発明の車両用灯具は、面発光する光源と上述の樹脂成形品とを備え、光源が、意匠面と対向する位置に配置され、光源から出射した光は、加飾領域および半透光層を透過して灯具外部に出射することを特徴とする。
【発明の効果】
【００１１】
本発明の樹脂成形品を搭載した車両用灯具によれば、透光樹脂基材に加飾模様を施した意匠面を形成し、意匠面の反対面に非加飾領域よりも高い光透過率を有する半透光層を設けたため、灯具の点灯時には光源からの光が半透光層を透過して灯具外部に出射される一方、光源の非点灯時には半透光層に遮られて外部から意匠面が見えなくなるので、車両用灯具のデザイン性を向上できるという優れた効果を奏する。また、樹脂基材にシボ加工面を形成し該シボ加工面に光輝性蒸着層を形成することで、光輝性蒸着層を剥離した際に光輝性蒸着層の一部が加飾模様部分の樹脂基材上に残存してしまったとしても、シボ加工により加飾領域が反射し残存蒸着膜が目立ちにくい状態を作ることができ不良品の発生を低減できるという利点がある。
【図面の簡単な説明】
【００１２】
【図１】図１（ａ）は本発明の一実施形態を示すサイドターンシグナルランプの外観図であり、図１（ｂ）は図１（ａ）のサイドターンシグナルランプのＡ−Ａ線拡大断面図である。
【図２】図１のアウターレンズとして使用されている樹脂成形品の構造を示した拡大断面図である。
【図３】図１のサイドターンシグナルランプの非点灯時および点灯時の外観を示す正面図である。
【図４】本発明の実施例２の実施形態を示す樹脂成形品の拡大断面図である。
【図５】本発明の実施例３の実施形態を示す樹脂成形品の拡大断面図である。
【図６】本発明の実施例３の実施形態における、レーザー光による加飾加工を説明する拡大断面図である。
【図７】従来の車両用灯具の非点灯時および点灯時の外観を示す正面図である。
【図８】従来のレーザー光による加飾加工を説明する拡大断面図である。
【発明を実施するための形態】
【００１３】
以下、本発明をサイドターンシグナルランプに具体化した実施形態を図面に基づいて詳細に説明する。
【実施例１】
【００１４】
図１は本発明の一実施形態を示すサイドターンシグナルランプを示す。図１（ａ）に示すように、車両用灯具１０は、ドアミラー２０に装備されるサイドターンシグナルランプであって、ランプボディ３０（図１（ｂ）参照）の前面に樹脂成形品１であるアウターレンズ４０を備え、アウターレンズ４０とランプボディ３０との間に灯室５０が形成されている。アウターレンズ４０には、横長の意匠部７０がドアミラー２０の開口部８０から露出するように形成され、意匠部７０の内側にインナーレンズ９０が配置される。別の場所に配置されたＬＥＤ光源からの光をインナーレンズ９０で導いて面状の発光をさせることによりアウターレンズ４０から灯室５０の外部に出射するように構成されている。
【００１５】
図１（ｂ）の部分拡大図に示すように、アウターレンズ４０の内壁に光輝性蒸着層３が形成され、選択的にレーザー光Ｌを照射することで除去し形成された加飾領域３１と加飾加工がされていない非加飾領域３２とを併せて意匠面５を形成している。アウターレンズ４０の外面はハーフ蒸着加工による半透光層４が形成されている。
【００１６】
図２は、アウターレンズ４０で使用されている樹脂成形品１の構造を説明する拡大断面図である。本実施形態では、便宜上、板状の樹脂成形品１として例示する。この樹脂成形品１は、透光樹脂基材２と、この透光樹脂基材２の一つの面に光輝性蒸着層３が、その反対面に半透光層４が形成されている。
【００１７】
透光樹脂基材２は、例えば、アクリルやポリカーボネートなどを用いることができる。その形状については特に限定されるものではなく、用途に応じて適宜変更することができる。
【００１８】
光輝性蒸着層３は、透光樹脂基材２の一つの面にアルミ蒸着に代表される蒸着処理またはスパッタリングによって形成され、遮光性を有する。光輝性蒸着層３の厚さは、充分な遮光性を満たすことができる８０ｎｍ以上とすることが望ましい。
【００１９】
そして、光輝性蒸着層３の一部に選択的にレーザー光Ｌを照射することで除去することにより、線状模様や文字等の加飾模様となる加飾領域３１を形成するとともに、加飾加工を受けず加飾模様が形成されていない非加飾領域３２とを併せて意匠面５を形成する。
【００２０】
半透光層４は光を部分的に透過する層であり、透光樹脂基材２の一つの面に形成された意匠面５の反対面にアルミ蒸着によるハーフ蒸着処理を施し光透過率が低くなるように構成されている。ハーフ蒸着処理に替えてハーフ塗装やハーフ加飾フィルムなどによる処理で代替してもよい。半透光層４の光の透過率は１０％以下、好ましくは５〜１０％の範囲とする。
【００２１】
図３は、サイドターンシグナルランプの非点灯時および点灯時の外観を示す。車両用灯具１０の光源６の非点灯時、本発明の樹脂成形品１から構成されるアウターレンズ４０の表面はハーフ蒸着処理された半透光層４により、灯具前方から灯具内部を視認することができずアウターレンズ４０の内面に施された意匠面５は見えない。一方、点灯時には外部から十分に視認可能な程度に灯具１０内部の光源からの光が加飾領域３１、透光樹脂基材２及び半透光層４を透過し、灯具１０の外部に発光されるので、意匠面５に形成された線状模様や文字といった加飾模様が装飾光として現れ、非点灯時とは異なる灯具の外観を表現することができる。
【実施例２】
【００２２】
図４は、半透光層４の変更例を示す樹脂成形品１の構造を説明する拡大断面図である。この樹脂成形品１は着色された透光樹脂基材２により形成され、透光樹脂基材２自身が半透光層４を兼ねる。着色された透光樹脂基材２の光の透過率は１０％以下、好ましくは５〜１０％の範囲とする。この変更例によれば、別途ハーフ蒸着処理等を施した半透光層４を形成する必要なく、意匠面５を灯具前方から見えないようにすることができる。
【実施例３】
【００２３】
図５は、透光樹脂基材２の変更例を示す樹脂成形品１の構造を説明する拡大断面図である。この樹脂成形品１における透光樹脂基材２は一つの面にシボ加工を施し、凹凸形状を設けたシボ加工面２１となっている。シボ加工による凹凸の高さは２５ｎｍ程度とすることが好適である。光輝性蒸着層３は該シボ加工面２１上に形成され、この光輝性蒸着層３をレーザー光Ｌにより選択的に除去することにより加飾領域３１及び非加飾領域３２からなる意匠面５が形成される。
【００２４】
図６に示すように、光輝性蒸着層３の一部をレーザー光Ｌで除去し剥離する際に、光輝性蒸着層３の一部が加飾領域３１のシボ加工面２１上に残存蒸着膜３３として固着したまま残存してしまう場合がある。しかし、仮に残存蒸着膜３３があったとしても、シボ加工面２１により加飾領域３１が反射することで残存蒸着膜３３が目立ちにくい状態を作ることができ不良品の発生を低減することができる。
【００２５】
なお、本発明は、本発明の趣旨を逸脱しない範囲で、例えば以下のように、各部の形状や構成を適宜に変更して実施することも可能である。
【００２６】
（１）光輝性蒸着層３は、遮光性を有する塗料による着色層で代替することもできるし、蒸着又はスパッタリングで形成された層に加えて前述の着色層を設けることもできる。これにより、遮光性を上げるとともに加飾領域３１の見栄えに変化を持たせることができる。
【００２７】
（２）光輝性蒸着層３をレーザー光Ｌにより選択的に除去し剥離させ加飾領域３１を形成する方法に替えて、光輝性蒸着膜３の一部をカッターで切断したり、加飾領域３１をマスキングした上で蒸着処理をして光輝性蒸着層３を形成したりする方法を採択することもできる。
【００２８】
（３）車両用灯具１０は、実施例で紹介したサイドターンシグナルランプに限定されるものではなく、例えば、クリアランスランプ、デイタイムランニングランプ、リアコンビネーションランプなど、車両各部の灯具に適用することもできる。また、車両用灯具のインナーレンズ、アウターレンズ、その他の樹脂成形レンズに本発明の内容を適用することができる。
【符号の説明】
【００２９】
１  樹脂成形品
２  透光樹脂基材
２１  シボ加工面
３  光輝性蒸着層
４  半透光層
５  意匠面
６  光源
１０  車両用灯具
２０  ドアミラー
３０  ランプボディ
３１  加飾領域
３２  非加飾領域
３３  残存蒸着膜
３４  剥離蒸着膜
４０  アウターレンズ
５０  灯室
７０  意匠部
９０  インナーレンズ
Ｌ  レーザー光
【図１】
2020161344.tif 000003
【図２】
2020161344.tif 000004
【図３】
2020161344.tif 000005
【図４】
2020161344.tif 000006
【図５】
2020161344.tif 000007
【図６】
2020161344.tif 000008
【図７】
2020161344.tif 000009
【図８】
2020161344.tif 000010